(57)【要約】  装置全体をコンパクトにしつつ、紙幣の収納量を増加させることができる紙幣収納繰出装置23を提供する。  テープ37と一緒に紙幣を巻き取り、および巻き戻す巻取りローラ38と、巻取りローラ38に対してテープ37を巻き取り、および巻き戻すリール40とを備える。巻取りローラ38の内部に配置されるモータ本体56、およびモータ本体56の第１の端部側および第２の端部側からそれぞれ突出する第１の駆動軸58および第２の駆動軸59を有するモータ55を備える。モータ55の第２の駆動軸59からの駆動力をリール40に伝達する伝達機構70を備える。モータ55の第１の駆動軸58の駆動力を巻取りローラ38に伝達し、巻取りローラ38を回転させる。モータ55の第２の駆動軸59の駆動力をリール40に伝達し、リール40を回転させる。
2011036783.tif 000002
【特許請求の範囲】
【請求項１】
外部から搬送されてくる紙葉類を収納し、収納した紙葉類を外部へ繰り出す紙葉類収納繰出装置であって、
少なくとも１本のテープと、
このテープと一緒に前記紙葉類を巻き取り、および巻き戻す巻取りローラと、
前記巻取りローラに対して前記テープを巻き取り、および巻き戻すリールと、
前記巻取りローラの内部に少なくとも一部が配置されるモータ本体、およびこのモータ本体の第１の端部側および第２の端部側からそれぞれ突出する第１の駆動軸および第２の駆動軸を有し、前記第１の駆動軸から伝達する駆動力によって前記巻取りローラを回転させ、第２の駆動軸から伝達する駆動力によって前記リールを回転させるモータと、
このモータの第２の駆動軸からの駆動力を前記リールに伝達する伝達機構と
を具備していることを特徴とする紙葉類収納繰出装置。
【請求項２】
前記モータは、前記第１の駆動軸を減速回転させる減速機を有している
ことを特徴とする請求項１に記載の紙葉類収納繰出装置。
【請求項３】
前記巻取りローラは、前記第１の駆動軸に一体回転するように支持され、
前記巻取りローラの第１の端部および第２の端部のそれぞれ外方に配置される第１の支持部および第２の支持部を有し、前記第１の支持部には前記第１の駆動軸を軸受によって回転可能に支持し、前記第２の支持部には前記モータ本体を支持する支持体を具備している
ことを特徴とする請求項１に記載の紙葉類収納繰出装置。
【請求項４】
前記伝達機構は、
前記巻取りローラから前記テープを巻き戻す方向に前記モータが駆動されるときに、前記モータからの駆動力を前記リールに伝達するワンウェイクラッチと、
前記モータから前記リールへ伝達する駆動力に設定トルク以上の負荷が加わったときに、前記モータから前記リールへの駆動力の伝達を解除するトルクリミッタとを有している
ことを特徴とする請求項１に記載の紙葉類収納繰出装置。
【発明の詳細な説明】
【技術分野】
【０００１】
本発明は、テープの巻き取り、巻き戻しと一緒に、紙葉類の収納、繰り出しをする紙葉類収納繰出装置に関する。
【背景技術】
【０００２】
従来、例えば、紙葉類としての紙幣を入出金処理する紙幣入出金機などの紙幣処理機では、紙幣の収納、繰り出しをするために、２本または１本のテープを用いたテープ収納式の紙幣収納繰出装置を備えたものがある。【０００３】
２本のテープを用いた紙幣収納繰出装置では、図７に示すように、２本のテープ201，202を巻き取りおよび巻き戻す巻取りローラ203と、この巻取りローラ203に対して各テープ201，202をそれぞれ巻き取りおよび巻き戻す２つのリール204，205とを備えている。また、巻取りローラ203とリール204，205との間にモータ206を配置し、このモータ206からの駆動力を伝達機構207によって巻取りローラ203とリール204，205とに伝達している。伝達機構207は、モータ206と巻取りローラ203と各リール204，205の各軸に取り付けられたプーリ208，209，210，211、これらプーリ208，209，210，211に亘って掛け回されたベルト212、各リール204，205の軸とプーリ210，211との間に介在されたワンウェイクラッチ213，214、および各リール204，205の軸と各リール204，205との間に介在された図示しないトルクリミッタを有している。【０００４】
そして、紙幣収納時には、モータ206の駆動により、巻取りローラ203はテープ201，202を巻き取る方向に回転するが、各リール204，205にはワンウェイクラッチ213，214によって駆動力が伝達されず、各リール204，205からテープ201，202が引き出される。そのため、搬送機構215で搬送してくる紙幣216を２本のテープ201，202間に送り込み、この紙幣216を２本のテープ201，202間に挟んで巻取りローラ203に巻き取って収納する。【０００５】
また、紙幣繰出時には、モータ206の駆動により、巻取りローラ203がテープ201，202を巻き戻す方向に回転するとともに、この巻取りローラ203からテープ201，202を巻き戻す長さ以上の長さを巻取り可能な速度で各リール204，205が回転し、トルクリミッタにより巻取りローラ203からのテープ201，202の巻き戻し量と各リール204，205によるテープ201，202の巻き取り量とを同調させて、テープ201，202に一定の張力を付与しつつ、各リール204，205でテープ201，202を巻き取る。そのため、巻取りローラ203からの２本のテープ201，202の巻き戻しにより、これら巻き戻す２本のテープ201，202間に挟んでいる紙幣216を搬送機構215に繰り出す（例えば、特許文献１参照。）。【０００６】
また、１本のテープを用いた紙幣収納繰出装置では、図示しないが、巻取りローラに巻き取る１本のテープと巻取りローラの外周面との間に紙幣を送り込むことにより、１本のテープと一緒に紙幣を巻き取りローラに巻き取って収納している。一方、巻取りローラから１本のテープを巻き戻すことにより、巻き戻す１本のテープと巻取りローラの外周面との間から紙幣を繰り出している。【０００７】
このようなテープ収納式の紙幣収納繰出装置では、装置全体をコンパクトにしつつ、紙幣の収納量を増加させようとすると、モータを別の場所に移して、テープ巻取り時の巻取りリールの大径化およびリールの外径化に対応することが考えられる。【０００８】
しかしながら、モータを装置外の場所に設置できればよいが、装置外にモータの設置場所がない場合や、紙幣収納繰出装置にモータを含めて１つのユニットとしたい場合には、モータを装置外の場所に移すことが難しい。そのため、装置全体をコンパクトにしつつ、紙幣の収納量を増加させることが困難であった。【０００９】
また、モータをドラムの内部に設置し、ドラムの両端部から突出する固定シャフトに対してモータのロータとともにドラムを回転させるドラム装置が知られている（例えば、特許文献２参照。）。しかしながら、このドラム装置を紙幣収納繰出装置に適用するとした場合、巻取りローラおよびリールにそれぞれ１本ずつ適用することになり、装置全体をコンパクト化できても、モータ数が増加して高価になってしまう問題が生じる。
【先行技術文献】
【特許文献】
【００１０】
【特許文献１】特開平１１−１３９６１７号公報（第３−４頁、図４−５）
【特許文献２】特開昭６２−１４４５４８号公報（第１頁、第１図）
【発明の概要】
【発明が解決しようとする課題】
【００１１】
本発明は、装置全体をコンパクトにしつつ、紙葉類の収納量を増加させることができる紙葉類収納繰出装置を提供することを目的とする。
【課題を解決するための手段】
【００１２】
請求項１記載の紙葉類収納繰出装置は、外部から搬送されてくる紙葉類を収納し、収納した紙葉類を外部へ繰り出す紙葉類収納繰出装置であって、少なくとも１本のテープと、このテープと一緒に前記紙葉類を巻き取り、および巻き戻す巻取りローラと、前記巻取りローラに対して前記テープを巻き取り、および巻き戻すリールと、前記巻取りローラの内部に少なくとも一部が配置されるモータ本体、およびこのモータ本体の第１の端部側および第２の端部側からそれぞれ突出する第１の駆動軸および第２の駆動軸を有し、前記第１の駆動軸から伝達する駆動力によって前記巻取りローラを回転させ、第２の駆動軸から伝達する駆動力によって前記リールを回転させるモータと、このモータの第２の駆動軸からの駆動力を前記リールに伝達する伝達機構とを具備しているものである。【００１３】
巻取りローラの内部にモータ本体の少なくとも一部を配置し、モータ本体の第１の端部側から突出する第１の駆動軸からの駆動力を巻取りローラに伝達し、この巻取りローラを回転させるとともに、モータ本体の第２の端部側から突出する第２の駆動軸からの駆動力を伝達機構を介してリールに伝達し、このリールを回転させることができるため、１つのモータを用いるだけで済み、装置全体をコンパクトにしつつ、紙葉類の収納量を増加させることができる。【００１４】
請求項２記載の紙葉類収納繰出装置は、請求項１に記載の紙葉類収納繰出装置において、前記モータは、前記第１の駆動軸を減速回転させる減速機を有しているものである。【００１５】
第１の駆動軸と第２の駆動軸の回転速度を異ならせ、巻取りローラおよび各リールをそれぞれ適切な回転速度で回転させることができる。【００１６】
請求項３記載の紙葉類収納繰出装置は、請求項１に記載の紙葉類収納繰出装置において、前記巻取りローラは、前記第１の駆動軸に一体回転するように支持され、前記巻取りローラの第１の端部および第２の端部のそれぞれ外方に配置される第１の支持部および第２の支持部を有し、前記第１の支持部には前記第１の駆動軸を軸受によって回転可能に支持し、前記第２の支持部には前記モータ本体を支持する支持体を具備しているものである。【００１７】
支持体の第１の支持部には第１の駆動軸を軸受によって回転可能に支持し、第２の支持部にはモータ本体を支持することにより、支持体に対してモータを支持できるとともに巻取りローラを回転可能に支持できる。【００１８】
請求項４記載の紙葉類収納繰出装置は、請求項１に記載の紙葉類収納繰出装置において、前記伝達機構は、前記巻取りローラから前記テープを巻き戻す方向に前記モータが駆動されるときに、前記モータからの駆動力を前記リールに伝達するワンウェイクラッチと、前記モータから前記リールへ伝達する駆動力に設定トルク以上の負荷が加わったときに、前記モータから前記リールへの駆動力の伝達を解除するトルクリミッタとを有しているものである。【００１９】
巻取りローラへのテープの巻き取り時には、モータの駆動により、巻取りローラがテープを巻き取る方向に回転するが、リールにはワンウェイクラッチによってモータからの駆動力が伝達されず、巻取りローラによるテープの巻き取りに伴ってリールからのテープを引き出し、巻取りローラでテープをたるみなく巻き取ることができる。また、巻取りローラからのテープの巻き戻し時には、モータの駆動により、巻取りローラがテープを巻き戻す方向に回転するとともに、この巻取りローラからテープを巻き戻す長さ以上の長さを巻取り可能な速度で各リールが回転し、トルクリミッタにより巻取りローラからのテープの巻き戻し量とリールによるテープの巻き取り量とを同調させて、リールでテープをたるみなく巻き取ることができる。
【発明の効果】
【００２０】
本発明の紙葉類収納繰出装置によれば、装置全体をコンパクトにしつつ、紙葉類の収納量を増加させることができる。
【図面の簡単な説明】
【００２１】
【図１】本発明の第１の実施の形態を示す紙葉類収納繰出装置の一部を切り欠いた平面図である。
【図２】同上紙葉類収納繰出装置の断面図であって、(a)は紙葉類の未収納時の断面図、(b)は紙葉類の最大量収納時の断面図である。
【図３】同上紙葉類収納繰出装置の側面図である。
【図４】同上紙葉類収納繰出装置を用いた紙葉類処理機の断面図である。
【図５】本発明の第２の実施の形態を示す紙葉類収納繰出装置の断面図であって、(a)は紙葉類の未収納時の断面図、(b)は紙葉類の最大量収納時の断面図である。
【図６】同上紙葉類収納繰出装置の伝達機構を示す断面図である。
【図７】従来の紙葉類収納繰出装置の断面図である。
【発明を実施するための形態】
【００２２】
以下、本発明の実施の形態を、図面を参照して説明する。
【００２３】
図１ないし図４に第１の実施の形態を示す。
【００２４】
図４に、紙葉類処理機としての紙幣処理機を示す。この紙幣処理機11は、紙葉類としての紙幣を入出金する紙幣入出金機であり、機体12には上部ブロック13および機体12から引出可能な下部ブロック14が設けられている。
【００２５】
上部ブロック13には、紙幣を入金する入金口15、紙幣を出金する出金口16、紙幣を搬送する上部搬送路17、この上部搬送路17で搬送する紙幣を識別する識別部18、および上部搬送路17から送り込まれる紙幣を収納する一時保留部19が配設されている。
【００２６】
下部ブロック14には、上部搬送路17に接続された下部搬送路20、この下部搬送路20で送り込まれる紙幣を収納する金種別の紙幣収納部21、および上部搬送路17から送り込まれる紙幣を収納する紙幣収納部22が配設されている。
【００２７】
一時保留部19および紙幣収納部21，22は、紙幣を１枚ずつ分離状態で収納し、収納した紙幣を１枚ずつ繰り出す紙葉類収納繰出装置としての紙幣収納繰出装置23で構成されている。
【００２８】
なお、上部搬送路17および下部搬送路20で搬送する紙幣を分岐または合流する各位置には、紙幣をスムーズに分岐または合流させる切換機構が配置されている。
【００２９】
また、紙幣処理機11で取り扱う紙幣の搬送方向は、紙幣の長手方向に対して直交する短手方向である。なお、紙幣の搬送方向を、紙幣の長手方向の向きとしても同様に処理できる。
【００３０】
そして、紙幣処理機11の入金処理時には、入金口15に投入された紙幣を１枚ずつ上部搬送路17に送り込み、識別部18で識別する。識別部18で正常と識別された紙幣を一時保留部19に搬送して一時保留する。また、入金口15に投入された紙幣の一時保留までの処理が完了した後、収納が指令されると、一時保留部19に一時保留していた紙幣を１枚ずつ上部搬送路17に繰り出し、識別部18で識別した後、下部搬送路20に搬送し、該当する金種の紙幣収納部21に搬送して収納する。なお、一時保留部19への収納順を記憶しておけば、識別部18による識別を省略することもできる。また、返却が指令されると、一時保留部19に一時保留していた紙幣を１枚ずつ上部搬送路17に繰り出し、出金口16に搬送して返却する。
【００３１】
紙幣処理機11の出金処理時には、出金該当金種の紙幣収納部21に収納している紙幣を、１枚ずつ下部搬送路20に繰り出し、上部搬送路17に搬送し、識別部18で識別し、正常と識別された紙幣を出金口16に搬送して出金する。
【００３２】
次に、図１ないし図３に紙幣収納繰出装置23を示す。
【００３３】
紙幣収納繰出装置23は、第１の支持部としての側板30、第２の支持部としての側板31、およびこれら側板30，31を連結する図示しない連結部材を含む支持体32を備えている。
【００３４】
この支持体32の側板30，31間には、上部搬送路17または下部搬送路20に対して紙葉類としての紙幣34を出し入れする収納繰出口35、第１のテープ36および第２のテープ37の第１の端部が取り付けられる巻取りローラ38、第１のテープ36および第２のテープ37の第２の端部がそれぞれ取り付けられる第１のリール39および第２のリール40、収納繰出口35に対向する位置でテープ36，37を案内する第１のテープガイドローラ41および第２のテープガイドローラ42、リール39，40とテープガイドローラ41，42との間でのテープ36，37の移動をガイドする第１のテープガイド43および第２のテープガイド44などが配設されている。
【００３５】
なお、収納繰出口35の外方には、紙幣34を搬送する上部搬送路17または下部搬送路20の搬送機構45が配置されている。
【００３６】
そして、紙幣収納時には、巻取りローラ38へのテープ36，37の巻き取りにより、収納繰出口35に搬送されてくる紙幣34をテープ36，37間に挟み込んで巻取りローラ38に巻き取り収納し、また、紙幣繰出時には、リール39，40へのテープ36，37の巻き取りにより、つまり巻取りローラ38からのテープ36，37の巻き戻しにより、紙幣34をテープ36，37間から収納繰出口35へ繰り出するように構成されている。
【００３７】
また、テープ36，37は、そのテープ36，37の幅が、紙幣34の搬送方向に対して交差する幅つまり紙幣34の長手方向の幅より狭く、紙幣34の長手方向の長さの約１／５程度とされている。テープ36，37間で紙幣34の幅方向の中央域を挟み込み、テープ36，37間から紙幣34の幅方向両側が突出する状態で収納するように構成されている。なお、本実施の形態では、一対のテープ36，37を用いているが、これらテープ36，37を複数対用いることも可能である。
【００３８】
第１のテープ36の第２の端部域および第２のテープ37の第１の端部域が所定量以上の光透過性を有する例えば透明に形成され、これら端部域以外が所定量以上の光透過性を有さない例えば不透明に形成されている。
【００３９】
第１のテープガイドローラ41と第１のテープガイド43との間には、巻取りローラ38へのテープ巻取り時（紙幣収納時）の第１のテープ36の終端となる第２の端部域の透明部分を検知する巻取りテープエンド検知センサ48が配設されている。第２のテープガイドローラ42と第２のテープガイド44との間には、巻取りローラ38からのテープ巻戻し時（紙幣繰出時）の第２のテープ37の終端となる第１の端部域の透明部分を検知する巻戻しテープエンド検知センサ49が配設されている。
【００４０】
また、巻取りローラ38は、リール39，40などに比べて大径で円筒状のローラ部52を有し、このローラ部52内の第１の端部側には軸取付部53が形成されている。
【００４１】
巻取りローラ38内の第２の端部側には、モータ55が配置されている。このモータ55は、巻取りローラ38のローラ部52より小径でそのローラ部52の内周面に対して非接触状態に配置されている。モータ55は、駆動源であるモータ本体56、およびこのモータ本体56の第１の端部側に並設された減速機57を有している。モータ55の第１の端部からは、すなわち減速機57からは、モータ本体56の駆動力により減速機57を介して減速回転される第１の駆動軸58が突設され、また、モータ55の第２の端部からは、すなわちモータ本体56からは、モータ本体56によって直接回転駆動される第２の駆動軸59が突設されている。モータ55の駆動時には、第１の駆動軸58が第２の駆動軸59よりも低速回転し、第２の駆動軸59が第１の駆動軸58よりも高速回転する。第１の駆動軸58には巻取りローラ38の軸取付部53が取り付けられ、第１の駆動軸58と一体に巻取りローラ38が回転する。第１の駆動軸58は、巻取りローラ38の第１の端部より突出されている。
【００４２】
モータ55の第１の駆動軸58が側板30に対して軸受60により回転可能に支持され、モータ本体56の第２の端部が側板31に取り付けられて支持されている。したがって、側板30，31間に、モータ55が支持されるとともに、このモータ55によって巻取りローラ38が回転可能に支持されている。そして、モータ55の第１の駆動軸58からの回転駆動力が巻取りローラ38に伝達され、巻取りローラ38が回転駆動される。
【００４３】
側板31の外側において、第２の駆動軸59の端部には、リール39，40に駆動力を伝達するためのプーリ61が取り付けられている。
【００４４】
また、第１のリール39および第２のリール40は、両側の側板30，31に回転可能に架設された第１のリール軸63および第２のリール軸64の軸方向中央位置に、トルクリミッタ65を介して取り付けられている。側板31の外側において、リール軸63，64の端部には、ワンウェイクラッチ66を介してプーリ67，68が取り付けられている。
【００４５】
側板31の外側において、モータ55のプーリ61とリール39，40のプーリ67，68とに亘ってベルト69が張設されている。
【００４６】
そして、紙幣収納時に、モータ55が巻取りローラ38をテープ巻取り方向に回転駆動する際には、ワンウェイクラッチ66によってリール39，40に回転駆動力が伝達されず、また、紙幣繰出時に、モータ55がテープ巻戻し方向に回転駆動する際には、ワンウェイクラッチ66を介してリール39，40に駆動力が伝達され、リール39，40がテープ巻取り方向（図２および図３の時計回り方向）に回転する。
【００４７】
これらプーリ61、プーリ67，68およびベルト69により、モータ55の第２の駆動軸59からの駆動力をリール39，40に伝達する伝達機構70が構成されている。この伝達機構70により、リール39，40が巻取り方向に回転してテープ36，37を巻き取る速度が巻取りローラ38からテープ36，37が巻き戻される速度よりも常に速くなるように、トルクリミッタ65を介してリール39，40へモータ55の回転駆動力を伝えることにより、リール39，40でテープ36，37をたるみなく巻き取れるようにしている。なお、伝達機構70は、ベルト69を用いたが、歯車を用いた伝達機構でもよい。
【００４８】
また、第１のテープガイドローラ41および第２のテープガイドローラ42は、テープ36，37の幅方向の位置を規制しながらガイド可能とする両側に鍔を有する鍔付きローラで、支持体32の側板30，31間に架設された第１のローラ軸72および第２のローラ軸73にそれぞれ回転可能に取り付けられている。
【００４９】
これらテープガイドローラ41，42では、リール39，40から巻取りローラ38に向かうテープ36，37を互いに向かい合わせて間隔をあけて掛け回し、これらテープ36，37の掛回し位置に略三角形状の空間74を形成する。そして、この空間74は、紙幣収納時において、紙幣34を空間74に受け入れてテープ36，37間に挟んで保持しながら巻取りローラ38に巻き取らせるように機能する。
【００５０】
また、収納繰出口35には、収納、繰り出しのために通過する紙幣34を検知する紙幣検知センサ77が配設されている。
【００５１】
次に、第１の実施の形態の紙幣収納繰出装置23の動作を説明する。
【００５２】
まず、紙幣収納時の動作について説明する。
【００５３】
図２(a)に示すように、搬送機構45で紙幣34を紙幣収納繰出装置23に搬送してくると、その搬送機構45に設けられた図示しないセンサで紙幣34を検知することにより、モータ55を紙幣収納方向に対応した方向へ回転駆動する。このモータ55の回転駆動により、第１の駆動軸58が低速回転するとともに第２の駆動軸59が高速回転する。
【００５４】
第１の駆動軸58とともに巻取りローラ38がテープ巻取り方向に一体回転し、この巻取りローラ38でテープ36，37を巻き取り始める。
【００５５】
第２の駆動軸59とともにプーリ61が回転し、ベルト69を介してリール39，40のプーリ67，68も回転するが、その回転駆動力はワンウェイクラッチ66によりリール軸63，64に伝達されず、リール軸63，64はリール39，40からのテープ巻戻し方向には回転しない。さらに、そのリール軸63，64はワンウェイクラッチ66によりリール39，40からのテープ巻戻し方向への回転が阻止されているため、リール軸63，64にトルクリミッタ65を介して取り付けられたリール39，40はテープ巻戻し方向に回転せず、巻取りローラ38に巻き取られるテープ36，37にテンションがかかる。
【００５６】
テープ36，37にかかるテンションがトルクリミッタ65の設定トルク値より大きくなると、トルクリミッタ65に滑りが生じてリール39，40がテープ巻戻し方向に回転する。したがって、リール39，40からは、一定のテンションがかかった状態でテープ36，37を巻き戻すことになる。
【００５７】
そのため、搬送機構45で搬送してくる紙幣34をテープ36，37間に挟み込み、これらテープ36，37と一緒に紙幣34を巻取りローラ38に巻き取って収納する。
【００５８】
巻取りローラ38に巻き取って収納していく紙幣34の通過を紙幣検知センサ77で検知すると、モータ55を停止させて、巻取りローラ38にブレーキをかけて回転を停止させ、１枚の紙幣34の収納を完了する。
【００５９】
また、続けて、搬送機構45に設けられた図示しないセンサで次に収納する紙幣34を検知することにより、モータ55を紙幣収納方向に対応した方向へ再び回転駆動し、上述したような収納動作を繰り返す。
【００６０】
そして、図２(a)に示すように、紙幣34の未収納時には、巻取りローラ38の外径は小径であったが、図２(b)に示すように、巻取りローラ38へのテープ36，37および紙幣34の巻き取りによって、巻取りローラ38でテープ36，37および紙幣34を巻き取った部分の外径が大径になる。
【００６１】
次に、紙幣繰出時の動作について説明する。
【００６２】
図２(b)において、モータ55を紙幣繰出方向に対応した方向へ回転駆動する。このモータ55の回転駆動により、第１の駆動軸58が低速回転するとともに第２の駆動軸59が高速回転する。
【００６３】
第１の駆動軸58とともに巻取りローラ38がテープ巻戻し方向に回転し、この巻取りローラ38からテープ36，37を巻き戻し始める。
【００６４】
同時に、第２の駆動軸59とともにプーリ61およびベルト69を介してリール39，40のプーリ67，68も回転し、これらプーリ67，68のワンウェイクラッチ66を介してリール軸63，64がテープ巻取り方向に対応する方向に回転する。このとき、ワンウェイクラッチ66はリール軸63，64がテープ巻取り方向に回転するように回転駆動力を伝達する。そのため、リール軸63，64の回転により、トルクリミッタ65を介してリール39，40がテープ巻取り方向に回転し、リール39，40でテープ36，37を巻き取る。
【００６５】
このとき、リール39，40と巻取りローラ38とのテープ巻取り量の比にかかわらず、リール39，40によるテープ巻取り速度が巻取りローラ38からのテープ巻戻し速度より速くなるよう設計することにより、常にリール39，40で巻き取るテープ36，37にテンションがかかる。
【００６６】
すなわち、テープ36，37にかかるテンションがトルクリミッタ65の設定トルク値より大きくなると、トルクリミッタ65に滑りが生じ、一定のトルクがかかった状態でリール39，40がリール軸63，64よりも遅い回転速度で同じテープ巻取り方向に回転する。したがって、リール39，40には、一定のテンションがかかった状態でテープ36，37を巻き取ることになる。
【００６７】
そして、巻取りローラ38からのテープ36，37の巻き戻しにより、テープ36，37と一緒に紙幣34を巻き戻す。巻取りローラ38から巻き戻す紙幣34をテープ36，37間から収納繰出口35を通じて搬送機構45へ繰り出す。
【００６８】
そして、紙幣34を繰り出す枚数が１枚であれば、繰り出す紙幣34の通過を紙幣検知センサ77で検知すると、モータ55を停止させて、巻取りローラ38にブレーキをかけて回転を停止させる。
【００６９】
また、複数枚の紙幣34を繰り出す場合には、繰り出し枚数分の紙幣34の通過を紙幣検知センサ77で検知するまで、モータ55を連続して駆動し、最後に繰り出す紙幣34の通過を紙幣検知センサ77で検知すると、モータ55を停止させて、巻取りローラ38にブレーキをかけて回転を停止させる。
【００７０】
そして、図２(b)に示すように、巻取りローラ38にテープ36，37および紙幣34が巻き取られた状態では、巻取りローラ38でテープ36，37および紙幣34を巻き取った部分の外径が大径になっていたが、図２(a)に示すように、巻取りローラ38からのテープ36，37および紙幣34の巻き戻しにより、巻取りローラ38の外径は小径になる。
【００７１】
このように、紙幣収納繰出装置23では、巻取りローラ38の内部にモータ55のモータ本体56を配置し、モータ本体56の第１の端部側から突出する第１の駆動軸58からの駆動力を巻取りローラ38に伝達し、この巻取りローラ38を回転させるとともに、モータ本体56の第２の端部側から突出する第２の駆動軸59からの駆動力を伝達機構70を介してリール39，40に伝達し、これらリール39，40を回転させることができるため、１つのモータ55を用いるだけで済み、装置全体をコンパクトにしつつ、紙幣34の収納量を増加させることができる。
【００７２】
すなわち、図７に示した従来の紙幣収納繰出装置では、巻取りローラ203とリール204，205との間にモータ206を配置していたため、装置全体をコンパクトにしつつ、紙幣216の収納量を増加させることは困難であったが、図１ないし図３に示すように、巻取りローラ38の内部にモータ55を配置することにより、巻取りローラ38とリール39，40との間にスペースができ、これら巻取りローラ38とリール39，40とを近付けて配置できて、装置全体をコンパクトにしつつ、巻取りローラ38でテープ36，37および紙幣34を巻き取った部分の外径がより大径にするのを許容できて、紙幣34の収納量を増加させることができる。
【００７３】
また、モータ55が第１の駆動軸58を減速回転させる減速機57を有するため、第１の駆動軸58と第２の駆動軸59の回転速度を異ならせ、これら第１の駆動軸58および第２の駆動軸59で巻取りローラ38および各リール39，40をそれぞれに適した回転速度で駆動できる。
【００７４】
また、支持体32の両側の側板30，31のうち、側板30には第１の駆動軸58を軸受60によって回転可能に支持し、側板31にはモータ本体56を支持するため、支持体32に対して、モータ55を支持できるとともに巻取りローラ38を回転可能に支持できる。
【００７５】
また、巻取りローラ38へのテープ36，37の巻き取り時には、モータ55の駆動により、巻取りローラ38がテープ36，37を巻き取る方向に回転するが、リール39，40にはワンウェイクラッチ66によってモータ55からの駆動力が伝達されず、巻取りローラ38によるテープ36，37の巻き取りに伴ってリール39，40からのテープ36，37を引き出し、巻取りローラ38でテープ36，37をたるみなく巻き取ることができる。また、巻取りローラ38からのテープ36，37の巻き戻し時には、モータ55の駆動により、巻取りローラ38がテープ36，37を巻き戻す方向に回転するとともに、この巻取りローラ38からテープ36，37を巻き戻す長さ以上の長さを巻取り可能な速度で各リール39，40が回転し、トルクリミッタ65により巻取りローラ38からのテープ36，37の巻き戻し量とリール39，40によるテープの巻き取り量とを同調させて、リール39，40でテープ36，37をたるみなく巻き取ることができる。
【００７６】
次に、図５および図６に第２の実施の形態を示す。なお、第１の実施の形態と同様の構成については、同一符号を用いて説明する。
【００７７】
図５に示すように、第２の実施の形態の紙幣収納繰出装置23では、第２のリール40および第２のリール軸64が収納繰出口35のテープガイドローラ41，42の下方に配置されている。
【００７８】
また、第１のテープガイドローラ41の第１のローラ軸72には、この第１のテープガイドローラ41の両側位置に、紙幣34を搬送するための第１の搬送ローラ81が回転自在に支持され、また、第２のテープガイドローラ42の第２のローラ軸73には、この第２のテープガイドローラ42の両側位置に、第１の搬送ローラ81との間で紙幣34を挟み込んで搬送する第２の搬送ローラ82が取り付けられている。これら搬送ローラ81，82は、搬送機構45側から駆動力が伝達されて回転し、搬送機構45とともに紙幣34を搬送する。この搬送ローラ81，82により、紙幣収納時には、搬送機構45から搬送されてくる紙幣34を挟持してテープ36，37間に送り込み、また、紙幣繰出時には、巻取りローラ38からの巻き戻しによりテープ36，37間から繰り出される紙幣34を挟持して搬送機構45へ向けて搬送する。
【００７９】
また、巻取りローラ38に対するテープ36，37および紙幣34の巻き取り巻き戻しをガイドするガイドローラ83を備えている。さらに、収納繰出口35から巻取りローラ38の外周面にわたって紙幣34をガイドするガイドカバー84を備えている。
【００８０】
また、巻取りローラ38は、巻取りローラ移動機構85によって、巻取りローラ38の中心とガイドローラ83との間の距離が変化する方向に移動可能に支持されている。この巻取りローラ移動機構85は、支持体32の側板30，31の外側に配置される側板部86，86、およびこれら側板部86，86を連結する連結板部87が形成された支持部材88を有している。支持部材88は、第２のリール軸64を中心として支持体32に揺動可能に支持されているとともに、側板部86，86と支持体32の側板30，31との間に張設されたスプリング89，89によって巻取りローラ38の中心とガイドローラ83との間の距離が小さくなる方向に向けて付勢されている。
【００８１】
モータ55の第１の駆動軸58が支持部材88の第１の端部側の側板部86に対して軸受により回転可能に支持され、モータ本体56の第２の端部が支持部材88の第２の端部側の側板部86に取り付けられて支持されている。したがって、支持部材88の側板部86，86間に、モータ55が支持されるとともに、このモータ55によって巻取りローラ38が回転可能に支持されている。そして、モータ55の第１の駆動軸58からの回転駆動力が巻取りローラ38に伝達され、巻取りローラ38が回転駆動される。
【００８２】
なお、搬送機構45において巻取りローラ38に最も近い位置で紙幣34を保持して搬送する搬送ローラ81，82間の位置を搬送経路側保持位置A1とし、巻取りローラ38にテープ36，37が巻き付いて紙幣34を保持するガイドローラ83の近傍位置を巻取りローラ側保持位置A2とし、これら搬送経路側保持位置A1と巻取りローラ側保持位置A2との間の保持位置間距離Ｂが紙幣34の搬送方向の長さｂより小さい寸法に設定されている。
【００８３】
そして、巻取りローラ移動機構85は、保持位置間距離Ｂを紙幣34の搬送方向の長さｂより小さい寸法に維持しながら、巻取りローラ38のテープ巻取り量に応じて巻取りローラ38の中心と搬送経路側保持位置A1との間の距離が変化するように巻取りローラ38を移動させる。
【００８４】
また、図６に示すように、モータ55の第２の駆動軸59からの駆動力をリール39，40に伝達する伝達機構70は、次のように構成されている。第２の駆動軸59に取り付けた歯車91と、第２のリール軸64の第２の端部に取り付けた歯車92とに、支持部材88の側板部86の外面に回転可能に取り付けた中間歯車93が噛合し、モータ55の第２の駆動軸59からの駆動力が第２のリール軸64に伝達される。さらに、第２のリール軸64の第１の端部に取り付けたプーリ94と第１のリール軸63の第１の端部に取り付けたプーリ95とにベルト96が張設され、モータ55の第２の駆動軸59からの駆動力を第２のリール軸64、プーリ94，95およびベルト96を介して第１のリール39に伝達される。また、伝達機構70は、第１の実施の形態と同様に機能するトルクリミッタ65およびワンウェイクラッチ66を備えているが、ワンウェイクラッチ66の位置に関しては歯車92と第２のリール軸64との間に介在されている。
【００８５】
次に、第２の実施の形態の紙幣収納繰出装置23の動作を説明する。
【００８６】
なお、紙幣収納時の紙幣34の収納動作、および紙幣繰出時の紙幣34の繰出動作は、上述した第１の実施の形態と基本的に同様であるため、その説明を省略する。ここでは、巻取りローラ38が移動することに関係した動作について説明する。
【００８７】
図５(a)には紙幣34の未収納時、図５(b)には紙幣34の最大量収納時、における巻取りローラ38でテープ36，37および紙幣34を巻き取った部分の外径の変化を示す。
【００８８】
図５(a)に示すように、紙幣34の未収納時においては、巻取りローラ移動機構85のスプリング89の付勢により、巻取りローラ38の中心とガイドローラ83との間の距離が最も小さくなり、すなわち巻取りローラ38の中心がガイドローラ83に最も近付き、巻取りローラ38の外周面がガイドローラ83に押し付けられている。
【００８９】
巻取りローラ38にテープ36，37を巻き取って紙幣34を収納していくと、巻取りローラ38の外径（巻取りローラ38に巻き取られたテープ36，37および紙幣34の外周部分での外径）が大きくなるため、スプリング89の付勢に抗して、巻取りローラ38の中心がガイドローラ83から離反移動する。すなわち、巻取りローラ38の中心がガイドローラ83から離反する方向に移動することにより、テープ36，37および紙幣34を巻き取る巻取りローラ38の外径が大きくなるのが許容される。
【００９０】
巻取りローラ38の外径が大きくなり、巻取りローラ38の中心がガイドローラ83から離反移動しても、搬送経路側保持位置A1と巻取りローラ側保持位置A2との間の保持位置間距離Ｂは、ほとんど変化せず、紙幣34の搬送方向の長さｂより小さい寸法に保たれるため、紙幣34の安定した収納ができる。
【００９１】
また、巻取りローラ38からテープ36，37を巻き戻して紙幣34を繰り出していくと、巻取りローラ38の外径（巻取りローラ38に巻き取られたテープ36，37および紙幣34の外周部分での外径）が小さくなるため、スプリング89の付勢により、巻取りローラ38の中心がガイドローラ83に接近移動する。すなわち、巻取りローラ38の中心がガイドローラ83に接近する方向に移動することにより、テープ36，37および紙幣34を巻き取る巻取りローラ38の外径が小さくなるのが許容される。
【００９２】
巻取りローラ38の外径が小さくなり、巻取りローラ38の中心がガイドローラ83に接近移動しても、搬送経路側保持位置A1と巻取りローラ側保持位置A2との間の保持位置間距離Ｂは、ほとんど変化せず、紙幣34の搬送方向の長さｂより小さい寸法に保たれるため、紙幣34の安定した繰り出しができる。
【００９３】
このように、紙幣収納繰出装置23では、巻取りローラ移動機構85により、保持位置間距離Ｂを紙幣34の搬送方向の長さｂより小さい寸法に維持しながら、巻取りローラ38のテープ巻取り量に応じて巻取りローラ38の中心と搬送経路側保持位置A1との間の距離が変化するように巻取りローラ38を移動させることにより、テープ巻取り時の巻取りローラ38の外径を大きくして紙幣34の収納量を多くすることができ、テープ巻取り時の巻取りローラ38の外径が大きくなっても紙幣34の安定した収納と繰り出しができる。
【００９４】
なお、上述した第２の実施の形態において、巻取りローラ移動機構85は、テープ36，37を巻き取った巻取りローラ38の外径に応じて、巻取りローラ38の中心をモータなどの駆動部による駆動を用いて移動させるようにしてもよい。また、支持部材88により、巻取りローラ38を第２のリール軸64を中心として揺動可能に支持したが、直線状にスライド可能に支持してもよい。
【００９５】
また、上述した第１および第２の実施の形態において、第２のテープ37を用いず、１本のテープ36で紙幣34を巻き取る紙幣収納繰出装置23にも適用できる。この場合には、巻取りローラ38に巻き取る１本のテープ36と巻取りローラ38の外周面との間に紙幣34を送り込むことにより、１本のテープ36と一緒に紙幣34を巻き取りローラ38に巻き取って収納し、一方、巻取りローラ38から１本のテープ36を巻き戻すことにより、巻き戻す１本のテープ36と巻取りローラ38の外周面との間から紙幣34を繰り出すように構成する。
【産業上の利用可能性】
【００９６】
本発明は、紙幣処理装置においては、紙幣を一時保留する一時保留部や、紙幣を収納および繰り出しする紙幣収納部などに利用され、さらに、小切手、伝票およびシートなどの紙葉類を取り扱う紙葉類処理装置などに利用される。
【符号の説明】
【００９７】
23    紙葉類収納繰出装置としての紙幣収納繰出装置
30    第１の支持部としての側板
31    第２の支持部としての側板
32    支持体
34    紙葉類としての紙幣
36，37    テープ
38    巻取りローラ
39，40    リール
55    モータ
56    モータ本体
57    減速機
58    第１の駆動軸
59    第２の駆動軸
60    軸受
65    トルクリミッタ
66    ワンウェイクラッチ
70    伝達機構
【図１】
2011036783.tif 000003
【図２】
2011036783.tif 000004
【図３】
2011036783.tif 000005
【図４】
2011036783.tif 000006
【図５】
2011036783.tif 000007
【図６】
2011036783.tif 000008
【図７】
2011036783.tif 000009
【国際調査報告】
2011036783.tif 000010
2011036783.tif 000011
2011036783.tif 000012
2011036783.tif 000013